(57)【要約】【課題】折板屋根葺き作業の進捗に応じたスタンションの盛り替えを、工具を使用することなく簡単かつ迅速に行えるようにして、折板屋根葺き作業における施工効率の向上を図れるようにする。【解決手段】安全用具取り付け用の支柱１１と、支柱１１を支持する支持部材１０とを備えて、支持部材１０が、折板屋根２の隣接するハゼ２Ｂに掛け渡される折板屋根葺き作業用のスタンションにおいて、支持部材１０の両端部１０Ａをハゼ２Ｂに着脱可能に固定する一対の固定具１３を備え、固定具１３には、レバー操作にてハゼ２Ｂを支持部材１０の端部１０Ａとの間に挟持する状態と、その挟持を解除する状態とに簡易切り替え可能なレバー操作式のトグルクランプ機構１３が採用されている。【選択図】図３
2019143305.tif 000002
【特許請求の範囲】
【請求項１】
安全用具取り付け用の支柱と、前記支柱を支持する支持部材とを備えて、前記支持部材が、折板屋根の隣接するハゼに掛け渡される折板屋根葺き作業用のスタンションにおいて、
前記支持部材の両端部を前記ハゼに着脱可能に固定する一対の固定具を備え、
前記固定具には、レバー操作にて前記ハゼを前記支持部材の端部との間に挟持する状態と、その挟持を解除する状態とに簡易切り替え可能なレバー操作式のトグルクランプ機構が採用されている折板屋根葺き作業用のスタンション。
【請求項２】
前記支柱は、前記支持部材の一端部に支持され、一対の前記トグルクランプ機構は、前記支持部材における支柱支持用の前記一端部と、該一端部とは反対側の他端部との間に配備されている請求項１に記載の折板屋根葺き作業用のスタンション。
【請求項３】
前記支柱の上部と前記支持部材の端部とにわたる斜材を備えている請求項１又は２に記載の折板屋根葺き作業用のスタンション。
【請求項４】
前記支持部材は、前記両端部が前記ハゼに載置されるとともに、前記両端部の横幅が該両端部にわたる中間部の横幅よりも幅広になるＨ型に形成されている請求項１〜３のいずれか一項に記載の折板屋根葺き作業用のスタンション。
【請求項５】
前記支柱は、その上端の高さ位置が、台車を利用して折板屋根上を運搬される屋根材と干渉しない低い高さ位置に設定されている請求項１〜４のいずれか一項に記載の折板屋根葺き作業用のスタンション。
【発明の詳細な説明】
【技術分野】
【０００１】
本発明は、折板屋根葺き作業時に、折板屋根に盛り替え可能に取り付けられる折板屋根葺き作業用のスタンションに関し、詳しくは、安全用具取り付け用の支柱と、前記支柱を支持する支持部材とを備えて、前記支持部材が、折板屋根の隣接するハゼに掛け渡される折板屋根葺き作業用のスタンションに関する。
【背景技術】
【０００２】
上記のような折板屋根葺き作業用のスタンションは、折板屋根葺き作業の進捗に応じて、折板屋根に対するスタンションの取り付け位置を変更する盛り替えを頻繁に行う必要がある。そのため、上記のような折板屋根葺き作業用のスタンションとしては、支持部材（基台）の底部に、折板屋根の山部に沿って形成されたハゼ（突条）を把持する４つの固定部材を備え、各固定部材は、上部フランジと下部フランジとを有する略コ字形の２枚の把持片と、これらの把持片の上部フランジを支持部材に締め付け固定するボルト・ナットとを有し、２枚の把持片の下部フランジが、ボルトに対するナットの締め付け調節で上部フランジを支点にして開閉することで、２枚の把持片が折板屋根のハゼを把持して支持部材を折板屋根に固定する状態と、２枚の把持片が折板屋根のハゼに対する把持を解除して折板屋根に対する支持部材の固定を解除する状態とに切り替え可能に構成されたものがある（例えば特許文献１参照）。
【先行技術文献】
【特許文献】
【０００３】
【特許文献１】特開２００９−２１５７３６号公報
【発明の概要】
【発明が解決しようとする課題】
【０００４】
特許文献１に記載の構成では、スタンションの盛り替えを行うたびに、４つの固定部材において、インパクトレンチやスパナなどの工具を使用して２枚の把持片の開閉操作を行う必要がある。そのため、スタンションの盛り替えに手間がかかるようになっており、施工効率の向上を図る上において改善の余地がある。又、盛り替え作業中にボルト・ナットや工具などを滑落させて紛失することによる作業の停滞を招く虞があり、この点からも施工効率の向上を図る上において改善の余地がある。
【０００５】
この実情に鑑み、本発明の主たる課題は、折板屋根葺き作業の進捗に応じたスタンションの盛り替えを、工具を使用することなく簡単かつ迅速に行えるようにして、折板屋根葺き作業における施工効率の向上を図れるようにする点にある。
【課題を解決するための手段】
【０００６】
本発明の第１特徴構成は、
安全用具取り付け用の支柱と、前記支柱を支持する支持部材とを備えて、前記支持部材が、折板屋根の隣接するハゼに掛け渡される折板屋根葺き作業用のスタンションにおいて、
前記支持部材の両端部を前記ハゼに着脱可能に固定する一対の固定具を備え、
前記固定具には、レバー操作にて前記ハゼを前記支持部材の端部との間に挟持する状態と、その挟持を解除する状態とに簡易切り替え可能なレバー操作式のトグルクランプ機構が採用されている点にある。
【０００７】
本構成によれば、作業者がスタンションを折板屋根に取り付ける場合は、スタンションの支持部材を折板屋根の隣接するハゼに掛け渡した後、各トグルクランプ機構のレバー操作を行って、支持部材の各端部と各トグルクランプ機構との間に各ハゼを挟持することにより、スタンションを折板屋根に簡単に取り付けることができる。
又、作業者がスタンションを折板屋根から取り外す場合は、各トグルクランプ機構のレバー操作を行って、支持部材の各端部と各トグルクランプ機構による各ハゼの挟持を解除することにより、スタンションを折板屋根から簡単に取り外すことができる。
これにより、作業者は、折板屋根葺き作業の進捗に応じたスタンションの盛り替えを、インパクトレンチやスパナなどの工具を使用することなく、又、ボルト・ナットや工具などを滑落させて紛失することによる作業の停滞を招くことなく、簡単かつ迅速に行うことができる。
その結果、折板屋根葺き作業において、スタンションを使用することによる安全性の確保を行いながら、施工効率の向上を図ることができる。
【０００８】
本発明の第２特徴構成は、
前記支柱は、前記支持部材の一端部に支持され、一対の前記トグルクランプ機構は、前記支持部材における支柱支持用の前記一端部と、該一端部とは反対側の他端部との間に配備されている点にある。
【０００９】
本構成によれば、例えば、支柱が支持部材の中央部に支持され、一対のトグルクランプ機構が、支柱を挟んで支持部材の両端側に振り分け配備されている場合には、作業者は、支柱の右側に位置するトグルクランプ機構のレバー操作を行うときは、左手で支柱を把持しながら右手で右側のトグルクランプ機構のレバー操作を行うことになる。又、支柱の左側に位置するトグルクランプ機構のレバー操作を行うときは、右手で支柱を把持しながら左手で左側のトグルクランプ機構のレバー操作を行うことになる。つまり、各トグルクランプ機構のレバー操作を行うときに、操作する手をトグルクランプ機構の位置に応じて変更する手間が生じることになる。
これに対し、本発明の第２特徴構成では、支柱が支持部材の一端部に支持され、一対のトグルクランプ機構が支持部材の中央側に隣接して配備されることから、作業者は、一方の手で支柱を把持したまま、他方の手で各トグルクランプ機構のレバー操作を無理なく行うことができる。つまり、各トグルクランプ機構のレバー操作を行うときに、操作する手をトグルクランプ機構の位置に応じて変更する手間がなくなる。
その結果、折板屋根葺き作業の進捗に応じてスタンションの盛り替えを行うときの各トグルクランプ機構の操作性を向上させることができ、これにより、折板屋根葺き作業における施工効率の向上を更に図ることができる。
【００１０】
本発明の第３特徴構成は、
前記支柱の上部と前記支持部材の端部とにわたる斜材を備えている点にある。
【００１１】
本構成によれば、親綱を介して安全帯が取り付けられる支柱の支持強度を高めることができ、これにより、安全帯を使用して行う折板屋根葺き作業での作業者の安全性を向上させることができる。
特に、スタンションの構成として、支柱が支持部材の一端部に支持され、単一の斜材が支柱の上部と支持部材の他端部とに架設される構成を採用した場合は、折板屋根に対するスタンションの取り付け姿勢を、屋根葺き作業時に作業者が折板屋根から落下する危険性のある領域に対して支柱を挟んだ反対側の位置に斜材が位置するように設定すれば、万が一、作業者が折板屋根から落下しそうになったときには、そのときの荷重を斜材に対して引張力として作用させることができる。これにより、作業者が折板屋根から落下しそうになったときの荷重が斜材に圧縮力として作用する場合に比較して、斜材が持つ強度を支柱の補強に有効に活用することができる。つまり、複数の斜材を設ける場合に比較して、スタンションの軽量化による持ち運びの容易化を図りながら、支柱の支持強度を効果的に高めることができる。その結果、支柱に親綱を介して取り付けられる安全帯を使用して行う折板屋根葺き作業での作業者の安全性を向上させることができる。
【００１２】
本発明の第４特徴構成は、
前記支持部材は、前記両端部が前記ハゼに載置されるとともに、前記両端部の横幅が該両端部にわたる中間部の横幅よりも幅広になるＨ型に形成されている点にある。
【００１３】
本構成によれば、スタンションが折板屋根に取り付けられた状態では、幅広に形成された支持部材の両端部が折板屋根のハゼに載置されていることから、支持部材の横幅方向での折板屋根に対するスタンションのガタツキをより効果的に抑制することができる。
その結果、折板屋根葺き作業の進捗に応じたスタンションの盛り替えを簡単かつ迅速に行えるようにしながら、折板屋根に取り付けたスタンションの安定性を向上させることができる。
【００１４】
本発明の第５特徴構成は、
前記支柱は、その上端の高さ位置が、台車を利用して折板屋根上を運搬される屋根材と干渉しない低い高さ位置に設定されている点にある。
【００１５】
本構成によれば、折板屋根葺き作業中に、作業者が複数の折板などの屋根材を折板屋根上にて台車を利用して運搬する場合には、スタンションの盛り替えを行わなくても、その運搬が折板屋根に取り付けられたスタンションによって阻害される虞を回避することができる。
これにより、折板屋根上での屋根材の運搬を円滑に行うことができ、結果、折板屋根葺き作業における施工効率の向上を更に図ることができる。
【図面の簡単な説明】
【００１６】
【図１】折板屋根葺き作業において折板屋根上の複数のスタンションに親綱を渡し掛けた状態を示す折板屋根上部の斜視図
【図２】折板屋根葺き作業において折板屋根上のスタンションに安全ブロックを介して安全帯を取り付けた状態を示す折板屋根上部の斜視図
【図３】折板屋根に対するスタンションの着脱操作を示す要部の縦断正面図
【図４】スタンションが折板屋根に取り付けられた状態を示す要部の縦断側面図
【図５】スタンションが折板屋根に取り付けられた状態を示す要部の横断平面図
【図６】スタンションが折板屋根に取り付けられた状態を示す要部の拡大縦断側面図
【図７】折板屋根のハゼを支持部材の端部と挟持片とで挟持した状態を示す要部の拡大縦断正面図
【図８】スタンションが折板屋根に取り付けられた折板屋根葺き作業時での台車を利用した折板の運搬状態を示す要部の縦断側面図
【発明を実施するための形態】
【００１７】
以下、本発明の実施形態を図面に基づいて説明する。
【００１８】
図１〜２に示すように、本発明にかかる折板屋根葺き作業用のスタンション１は、折板屋根２に盛り替え可能に取り付けることができる。そして、例えば、図１に示すように、折板屋根２に取り付けられた複数のスタンション１に、安全用具３の一例である親綱３Ｂが渡し掛けられ、この親綱３Ｂに、安全用具３の一例である安全ブロック３Ａ（図２参照）を介して、作業者が装着した安全帯４（図２参照）が取り付けられることにより、又は、図２に示すように、折板屋根２に取り付けられた単一のスタンション１に、安全ブロック３Ａを介して作業者の安全帯４が取り付けられることにより、折板屋根葺き作業時における作業者の安全性を確保することができる。
【００１９】
図１〜７に示すように、折板屋根２は、平行に並ぶ複数の梁２０の各上面に溶接されたタイトフレーム２１に、複数のタイトフレーム２１にわたる姿勢でタイトフレーム２１が延びる方向に連続して並べられる複数の折板（屋根材）２２などを取り付けることで形成されている。各タイトフレーム２１は、梁２０に支持される谷部２１Ａと折板２２を支持する山部２１Ｂとが交互に位置する波状に形成されている。そして、各山部２１Ｂから上方に延び出るハゼ締め用の吊子２１Ｃを有している。各折板２２は、タイトフレーム２１の谷部２１Ａに入り込む谷部２２Ａと、ハゼ締め用の下ハゼ２２Ｂを有する第１山部２２Ｃと、ハゼ締め用の上ハゼ２２Ｄを有する第２山部２２Ｅとを備える形状に形成されている。
これにより、折板屋根葺き作業時には、各折板２２の下ハゼ２２Ｂが各タイトフレーム２１の対応する吊子２１Ｃに被さり、かつ、各折板２２の上ハゼ２２Ｄが隣接する折板２２の下ハゼ２２Ｂに被さるように、複数のタイトフレーム２１に対して複数の折板２２を屋根葺き方向の下手側から順に載置した後、重なる吊子２１Ｃと下ハゼ２２Ｂと上ハゼ２２Ｄとを、図外の締め機を使用してハゼ締めすることにより、折板屋根２を形成することができる。そして、折板屋根２の山部２Ａには、前述したハゼ締めによって折板屋根２の長手方向に延びるハゼ２Ｂが形成されている。
尚、図１においては、梁２０と交差する梁や、タイトフレーム２１などの図示が省略されている。
【００２０】
図２〜７に示すように、各スタンション１は、折板屋根２の隣接するハゼ２Ｂに掛け渡される支持部材１０、支持部材１０に支持された安全用具取り付け用の支柱１１、支柱１１を補強する単一の斜材１２、及び、支持部材１０を折板屋根２に着脱可能に固定する一対の固定具１３、などを備えている。これにより、各スタンション１は、折板屋根葺き作業時に、折板屋根葺き作業の進捗に応じた折板屋根２に対する盛り替えが可能に構成されている。
【００２１】
支持部材１０は、平行に配置される一対の第１部材１４と、各第１部材１４の中央部にわたる第２部材１５とを有している。これにより、支持部材１０は、その両端部１０Ａの横幅が該両端部１０Ａにわたる中間部１０Ｂの横幅よりも幅広になるＨ型に形成されている。各第１部材１４は、折板屋根２の隣接するハゼ２Ｂに載置される天板部１４Ａと、隣接するハゼ２Ｂにおける頭部２Ｂａの外側縁に接触する縦壁部１４Ｂとを有するように、その断面形状がＬ字状に形成されている。第２部材１５は、一対の第１部材１４にわたる溝部１５Ａを有するように、その断面形状がＵ字状に形成されている。又、第２部材１５は、折板屋根２の隣接する山部２Ａにわたるとともに、折板屋根２の隣接するハゼ２Ｂの間に収まる長さを有している。第２部材１５における長手方向の両端には、補強用の平板部材１６が溶接され、溝部１５Ａの底面と平板部材１６との間に、固定具１３に備えられた挟持片１７の出退移動を許容する開口１８が形成されている。そして、第２部材１５における長手方向の両端と平板部材１６の外面とに、第１部材１４における天板部１４Ａの端縁が溶接されている。
【００２２】
支柱１１は、その下端部に備えられた下向きＵ字状の連結部１１Ａが、支持部材１０における第２部材１５の一端部に支持されている。支柱１１の上端部には、安全用具取り付け用のリング部１１Ｂが備えられている。
【００２３】
斜材１２は、その一端部が支柱１１の上部に溶接されている。斜材１２の他端部は、支持部材１０における第２部材１５の支柱連結側とは反対側に位置する平板部材１６に溶接されている。これにより、斜材１２は、支柱１１の上部と、支持部材１０における支柱支持側とは反対側の端部とにわたっている。
【００２４】
各固定具１３には、レバー操作式のトグルクランプ機構１３が採用されている。各トグルクランプ機構１３は、第２部材１５にネジ止めされた固定部材１３Ａ、固定部材１３Ａに揺動可能に支持された操作レバー１３Ｂ、固定部材１３Ａに摺動可能に支持された摺動ロッド１３Ｃ、及び、操作レバー１３Ｂと摺動ロッド１３Ｃとを連係するリンク部材１３Ｄ、などを有している。そして、摺動ロッド１３Ｃの先端に、前述した挟持片１７がボルト連結されている。
これにより、各トグルクランプ機構１３は、操作レバー１３Ｂの揺動操作が行われると、この操作に連動して、摺動ロッド１３Ｃとともに挟持片１７を摺動させて、挟持片１７を支持部材１０の開口１８から出退させるように構成されている。そして、この構成により、各トグルクランプ機構１３は、スタンション１の支持部材１０が折板屋根２の隣接する所定のハゼ２Ｂに掛け渡された状態では、操作レバー１３Ｂの揺動操作によって、所定の各ハゼ２Ｂを支持部材１０の各第１部材１４と各挟持片１７とで挟持する状態と、その挟持を解除する状態とに簡易に切り替えることができる。
【００２５】
各挟持片１７は、それらの横幅が第２部材１５の溝部１５Ａに内接する幅広に形成されている。そして、折板屋根２のハゼ２Ｂを第１部材１４との間に挟持した状態では、幅広に形成された挟持片１７の先端部が、ハゼ２Ｂにおける頭部２Ｂａよりも幅狭で頭部２Ｂａの真下に位置する起立部２Ｂｂに作用するようになっている。
【００２６】
上記の構成により、作業者がスタンション１を折板屋根２に取り付ける場合は、先ず、スタンション１における支持部材１０の各第１部材１４が、折板屋根２の隣接する所定のハゼ２Ｂにおけるタイトフレーム上の吊子共締め箇所に載置されるように、支持部材１０を隣接するハゼ２Ｂに掛け渡す。次に、各トグルクランプ機構１３の操作レバー１３Ｂを操作して、各挟持片１７を支持部材１０の各開口１８から各ハゼ２Ｂに向けて突出させて、所定の各ハゼ２Ｂを支持部材１０の各第１部材１４と各挟持片１７とで挟持する。これにより、スタンション１を折板屋根２に簡単に取り付けることができる。
又、作業者がスタンション１を折板屋根２から取り外す場合は、各トグルクランプ機構１３の操作レバー１３Ｂを操作して、各挟持片１７を第２部材１５の溝内に退避させて、支持部材１０の各第１部材１４と各挟持片１７による所定の各ハゼ２Ｂの挟持を解除する。これにより、スタンション１を折板屋根２から簡単に取り外すことができる。
つまり、作業者は、折板屋根葺き作業の進捗に応じたスタンション１の盛り替えを、インパクトレンチやスパナなどの工具を使用することなく、又、ボルト・ナットや工具などを滑落させて紛失することによる作業の停滞を招くことなく、簡単かつ迅速に行うことができる。
その結果、折板屋根葺き作業における施工効率の向上を図ることができる。
【００２７】
又、このスタンション１においては、支柱１１の上部と支持部材１０における支柱支持用の一端部１０Ａａとは反対側の他端部１０Ａｂとにわたる単一の斜材１２を備えることから、安全ブロック３Ａや親綱３Ｂを介して安全帯４が取り付けられる支柱１１の支持強度を高めることができ、これにより、安全帯４を使用して行う折板屋根葺き作業での作業者の安全性を向上させることができる。
特に、スタンション１を折板屋根２に取り付ける場合の取り付け姿勢を、屋根葺き作業時に作業者が折板屋根２から落下する危険性のある領域Ａに対して支柱１１を挟んだ反対側の位置に斜材１２が位置するように設定すれば、万が一、作業者が折板屋根２から落下しそうになったときには、そのときの荷重を斜材１２に対して引張力として作用させることができる。これにより、作業者が折板屋根２から落下しそうになったときの荷重が斜材１２に圧縮力として作用する場合に比較して、斜材１２が持つ強度を支柱１１の補強に有効に活用することができる。つまり、複数の斜材１２を設ける場合に比較して、スタンション１の軽量化による持ち運びの容易化を図りながら、支柱１１の支持強度を効果的に高めることができる。その結果、支柱１１に安全ブロック３Ａや親綱３Ｂを介して取り付けられる安全帯４を使用して行う折板屋根葺き作業での作業者の安全性を向上させることができる。
【００２８】
ちなみに、作業者は、自身の安全帯４を単一のスタンション１に安全ブロック３Ａのみを介して取り付けるようにすれば（図２参照）、複数のスタンション１に渡し掛ける親綱３Ｂを使用する場合（図１参照）よりも、折板屋根葺き作業の進捗に応じた折板屋根２に対するスタンション１の盛り替えが行い易くなる。その結果、折板屋根葺き作業において、スタンション１などを使用することによる安全性の確保を行いながら、施工効率の向上を図ることができる。
【００２９】
更に、このスタンション１においては、一対のトグルクランプ機構１３が支持部材１０における支柱１１と斜材１２との間の中間部１０Ｂに隣接して配備されていることから、作業者は、一方の手で支柱１１又は斜材１２を把持したまま、他方の手で各トグルクランプ機構１３の操作レバー１３Ｂを無理なく操作することができる。
そして、一対のトグルクランプ機構１３が配備される支持部材１０の中間部１０Ｂは、折板屋根２の隣接するハゼ２Ｂに掛け渡される長さを有する支持部材１０と、支持部材１０の一端部１０Ａａに支持された支柱１１と、支柱１１の上部と支持部材１０の他端部１０Ａｂとにわたる斜材１２との間に形成された広い三角空間の底辺を形成するものであることから、作業者が各トグルクランプ機構１３の操作レバー１３Ｂを操作する際に、各操作レバー１３Ｂが斜材１２に干渉して操作レバー１３Ｂの操作が阻害される虞を回避することができる。
その結果、折板屋根葺き作業の進捗に応じてスタンション１の盛り替えを行うときの各トグルクランプ機構１３の操作性を向上させることができ、これにより、折板屋根葺き作業における施工効率の向上を更に図ることができる。
【００３０】
又、このスタンション１においては、支持部材１０の形状が、折板屋根２の隣接するハゼ２Ｂに載置される両端部１０Ａの横幅が該両端部１０Ａにわたる中間部１０Ｂの横幅よりも幅広になるＨ型であることから、スタンション１が折板屋根２に取り付けられた状態では、幅広に形成された支持部材１０の両端部１０Ａが折板屋根２のハゼ２Ｂに載置された状態になる。これにより、支持部材１０の横幅方向での折板屋根２に対するスタンション１のガタツキをより効果的に抑制することができる。
その結果、折板屋根葺き作業の進捗に応じたスタンション１の盛り替えを簡単かつ迅速に行えるようにしながら、折板屋根２に取り付けたスタンション１の安定性を向上させることができる。
【００３１】
更に、このスタンション１においては、支持部材１０の形状が前述したＨ型であることにより、スタンション１が折板屋根２に取り付けられた場合に各ハゼ２Ｂの頭部外側縁に接触する各第１部材１４の縦壁部１４Ｂも、それらの横幅が幅広になっている。これにより、折板屋根２に対するスタンション１の縦軸回りのガタツキを効果的に抑制することができ、折板屋根２に取り付けたスタンション１の安定性を向上させることができる。
そして、各第１部材１４との間で折板屋根２のハゼ２Ｂを挟持する各挟持片１７も、前述したように、それらの横幅が幅広に形成されていることから、折板屋根２のハゼ２Ｂを第１部材１４と挟持片１７とで挟持したときの挟持範囲を広くすることができる。これにより、スタンション１を折板屋根２に対してより安定的に強固に取る付けることができる。
しかも、折板屋根２のハゼ２Ｂを第１部材１４と挟持片１７とで挟持した状態では、前述したように、各挟持片１７の先端部がハゼ２Ｂの起立部２Ｂｂに作用することから、万が一、作業者が折板屋根２から落下しそうになることでスタンション１の上部に引張力が作用した場合には、挟持片１７の先端部がハゼ２Ｂの頭部２Ｂａに引っ掛かってその引張力に抗することになる。そして、ハゼ２Ｂの頭部２Ｂａに引っ掛かる挟持片１７が幅広に形成されていることから、その引っ掛かりに起因したハゼ２Ｂの変形を抑制することができる。
その結果、スタンション１を折板屋根２に対してより好適に強固に取る付けることができ、これにより、万が一、作業者が折板屋根２から落下しそうになっても、スタンション１が折板屋根２から外れて作業者が地上に落下する虞を回避することができる。
【００３２】
ちなみに、本実施形態で例示した構成のスタンション１は、折板屋根２に取り付けた状態で、支柱１１のリング部１１Ｂに安全ブロック３Ａ及び安全帯４を介して取り付けられた８５ｋｇの錘を折板屋根２から落下させる強度確認試験を行ったところ、折板屋根２に取り付けた状態が維持されることを確認することができた。
【００３３】
図８に示すように、折板屋根２には、折板屋根上での複数の台車５を利用した折板２２の運搬を可能にするために、台車案内用の複数のガイドレール６が着脱可能に敷設されている。そして、支柱１１は、その上端の高さ位置が、各ガイドレール６で案内される複数の台車５を利用して折板屋根上を運搬される折板２２と干渉しない低い高さ位置に設定されている。
これにより、折板屋根葺き作業中に、作業者が複数の折板２２を折板屋根上にて台車５を利用して運搬する場合には、スタンション１の盛り替えを行わなくても、その運搬が折板屋根２に取り付けられたスタンション１によって阻害される虞を回避することができる。
その結果、折板屋根上での折板２２の運搬を円滑に行うことができ、結果、折板屋根葺き作業における施工効率の向上を更に図ることができる。
【００３４】
〔別実施形態〕
本発明の他の実施形態について説明する。
尚、以下に説明する各実施形態の構成は、それぞれ単独で適用することに限らず、他の実施形態の構成と組み合わせて適用することも可能である。
【００３５】
（１）スタンション１は、支柱１１が支持部材１０の中間部１０Ｂに支持され、一対のトグルクランプ機構１３が、支柱１１を挟んで支持部材１０の両端側に分散配備された構成であってもよい。
【００３６】
（２）スタンション１は、支柱１１を支持部材１０に連結することで、支柱１１の支持強度として、作業者の安全性を確保することができる高い強度が得られる場合には、支柱１１の上部と支持部材１０の端部１０Ａとにわたる斜材１２を備えない構成であってもよい。
【００３７】
（３）スタンション１は、支柱１１が支持部材１０の中間部１０Ｂに支持され、支柱１１の上部と支持部材１０の一端部１０Ａａとにわたる斜材１２と、支柱１１の上部と支持部材１０の他端部１０Ａｂとにわたる斜材１２とを備えることで、支柱１１の支持強度として、作業者の安全性を確保することができる高い強度が得られるように構成されていてもよい。
【００３８】
（４）スタンション１は、支柱１１の下部と支持部材１０とにわたるリブを備えることで、支柱１１の支持強度として、作業者の安全性を確保することができる高い強度が得られるように構成されていてもよい。
【００３９】
（５）スタンション１は、前述した強度確認試験において折板屋根２に取り付けた状態が維持されるのであれば、支持部材１０における両端部１０Ａの横幅が中間部１０Ｂの横幅と同じになるように支持部材１０が形成されていてもよい。
【符号の説明】
【００４０】
２        折板屋根
２Ｂ      ハゼ
５        台車
１０      支持部材
１０Ａ    支持部材の端部
１０Ａａ  支持部材の一端部
１０Ａｂ  支持部材の他端部
１０Ｂ    支持部材の中間部
１１      支柱
１２      斜材
１３      固定具（トグルクランプ機構）
２２      屋根材
【図１】
2019143305.tif 000003
【図２】
2019143305.tif 000004
【図３】
2019143305.tif 000005
【図４】
2019143305.tif 000006
【図５】
2019143305.tif 000007
【図６】
2019143305.tif 000008
【図７】
2019143305.tif 000009
【図８】
2019143305.tif 000010